【手続補正書】
【提出日】平成18年5月8日(2006.5.8)
【手続補正１】
【補正対象書類名】明細書
【補正対象項目名】発明の名称
【補正方法】変更
【補正の内容】
【発明の名称】画像送信装置及び方法、並びに記憶媒体
【手続補正２】
【補正対象書類名】明細書
【補正対象項目名】特許請求の範囲
【補正方法】変更
【補正の内容】
【特許請求の範囲】
【請求項１】  画像データを外部へ送信する画像送信装置において、
複数の操作者の認証情報と、当該操作者を特定する情報である送信者情報とを記憶装置に操作者ごとに格納する格納手段と、
前記記憶装置に記憶された認証情報を用いて、前記画像送信装置を操作する操作者の認証を行う認証手段と、
前記認証手段によって認証された操作者から画像データの送信を指示された場合において、前記記憶装置から前記操作者に対応する送信者情報を取得出来た場合は前記操作者によって指定された画像データに前記送信者情報を付加して外部へ送信し、前記記憶装置から前記操作者に対応する送信者情報を取得出来無かった場合は前記操作者によって指示された前記画像データの送信を禁止する送信手段と、
を有することを特徴とする画像送信装置。
【請求項２】  前記記憶装置が前記画像送信装置に含まれることを特徴とする請求項１に記載の画像送信装置。
【請求項３】  前記記憶装置が、前記画像送信装置にネットワークを介して接続された前記画像送信装置以外の装置に含まれることを特徴とする請求項１に記載の画像送信装置。
【請求項４】  前記送信手段は外部へ電子メールを送信することが可能であり、前記送信者情報は電子メールアドレスであることを特徴とする請求項１乃至請求項３のいずれか１項に記載の画像送信装置。
【請求項５】  前記送信手段は、前記記憶手段から取得した電子メールアドレスを前記送信手段が送信する電子メールの送信元に設定することを特徴とする請求項４に記載の画像送信装置。
【請求項６】  操作者の認証情報と送信者情報とが格納された記憶媒体を装着可能であり、画像データを外部へ送信する画像送信装置において、
装着された記憶媒体に格納された認証情報を用いて前記画像送信装置を操作する操作者の認証を行う認証手段と、
前記認証手段によって操作者が認証された場合、前記装着された記憶媒体から前記操作者に対応する送信者情報を読み出して、該送信者情報によって前記操作者によって指定された画像データに対して前記送信者情報に基づいて生成される送信者特定情報を付加して外部へ送信する送信手段と、
を有することを特徴とする画像送信装置。
【請求項７】  前記送信手段は、前記装着されたメモリカードから前記操作者に対応する送信者情報を読み出せない場合、前記外部への送信を禁止することを特徴とする請求項６に記載の画像送信装置。
【請求項８】  前記送信者情報は暗号鍵であり、前記送信者特定情報は前記暗号鍵を用いて生成されるデジタル署名であることを特徴とする請求項６または請求項７のいずれか１項に記載の画像送信装置。
【請求項９】  画像データを外部へ送信する画像送信装置における画像送信方法にであって、
複数の操作者の認証情報と、当該操作者を特定する情報である送信者情報とを記憶装置に操作者ごとに格納する格納ステップと、
前記記憶装置に記憶された認証情報を用いて、前記画像送信装置を操作する操作者の認証を行う認証ステップと、
前記認証ステップにて認証された操作者から画像データの送信を指示された場合において、前記記憶装置から前記操作者に対応する送信者情報を取得出来た場合は前記操作者によって指定された画像データに前記送信者情報を付加して外部へ送信し、前記記憶装置から前記操作者に対応する送信者情報を取得出来無かった場合は前記操作者によって指示された前記画像データの送信を禁止する送信制御ステップと、
を有することを特徴とする画像送信方法。
【請求項１０】  操作者の認証情報と送信者情報とが格納された記憶媒体を装着可能であり、画像データを外部へ送信する画像送信装置における画像送信方法であって、
装着された記憶媒体に格納された認証情報を用いて前記画像送信装置を操作する操作者の認証を行う認証ステップと、
前記認証ステップにて操作者が認証された場合、前記装着された記憶媒体から前記操作者に対応する送信者情報を読み出して、該送信者情報によって前記操作者によって指定された画像データに対して前記送信者情報に基づいて生成される送信者特定情報を付加して外部へ送信する送信ステップと、
を有することを特徴とする画像送信方法。
【請求項１１】  画像データを外部へ送信する画像送信装置における画像送信方法をプログラムとして記憶した、コンピュータ読み出し可能な記憶媒体であって、前記画像通信方法は、
複数の操作者の認証情報と、当該操作者を特定する情報である送信者情報とを記憶装置に操作者ごとに格納する格納ステップと、
前記記憶装置に記憶された認証情報を用いて、前記画像送信装置を操作する操作者の認証を行う認証ステップと、
前記認証ステップにて認証された操作者から画像データの送信を指示されたとき、前記記憶装置から前記操作者に対応する送信者情報を取得出来た場合は、前記操作者によって指定された画像データに、前記送信者情報を付加して外部へ送信し、前記記憶装置から前記操作者に対応する送信者情報を取得出来無かった場合、前記操作者によって指示された前記画像データの送信を禁止する送信制御ステップと、
を有することを特徴とする記憶媒体。
【請求項１２】  操作者の認証情報と送信者情報とが格納されたメモリカードを装着可能であり、画像データを外部へ送信する画像送信装置における画像送信方法をプログラムとして記憶した、コンピュータ読み出し可能な記憶媒体であって、前記画像送信方法は、
装着されたメモリカードに格納された認証情報を用いて前記画像送信装置を操作する操作者の認証を行う認証ステップと、
前記認証ステップにて前記操作者が認証された場合、前記装着されたメモリカードから前記操作者に対応する送信者情報を読み出して、該送信者情報によって前記操作者によって指定された画像データに対して前記送信者情報に基づいて生成される送信者特定情報を付加して外部へ送信する送信ステップと、
を有することを特徴とする画像送信方法。
【手続補正３】
【補正対象書類名】明細書
【補正対象項目名】０００１
【補正方法】変更
【補正の内容】
【０００１】
【発明の属する技術分野】
本発明は、画像送信装置及び方法、並びに記憶媒体に関し、特に、操作者に指定された画像データを外部へ送信する画像送信装置及び方法、並びに記憶媒体に関する。
【手続補正４】
【補正対象書類名】明細書
【補正対象項目名】０００７
【補正方法】変更
【補正の内容】
【０００７】
本発明はこのような問題点に鑑みてなされたものであって、画像送信時に操作者が偽りの送信者情報を設定することを不可能にした画像送信装置及び方法、並びに記憶媒体を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、請求項１記載の画像送信装置は、画像データを外部へ送信する画像送信装置において、複数の操作者の認証情報と、当該操作者を特定する情報である送信者情報とを記憶装置に操作者ごとに格納する格納手段と、前記記憶装置に記憶された認証情報を用いて、前記画像送信装置を操作する操作者の認証を行う認証手段と、前記認証手段によって認証された操作者から画像データの送信を指示された場合において、前記記憶装置から前記操作者に対応する送信者情報を取得出来た場合は前記操作者によって指定された画像データに前記送信者情報を付加して外部へ送信し、前記記憶装置から前記操作者に対応する送信者情報を取得出来無かった場合は前記操作者によって指示された前記画像データの送信を禁止する送信手段と、を有することを特徴とする。
請求項６記載の画像送信装置は、操作者の認証情報と送信者情報とが格納された記憶媒体を装着可能であり、画像データを外部へ送信する画像送信装置において、装着された記憶媒体に格納された認証情報を用いて前記画像送信装置を操作する操作者の認証を行う認証手段と、前記認証手段によって操作者が認証された場合、前記装着された記憶媒体から前記操作者に対応する送信者情報を読み出して、該送信者情報によって前記操作者によって指定された画像データに対して前記送信者情報に基づいて生成される送信者特定情報を付加して外部へ送信する送信手段と、を有することを特徴とする。
請求項９記載の画像送信方法は、画像データを外部へ送信する画像送信装置における画像送信方法にであって、複数の操作者の認証情報と、当該操作者を特定する情報である送信者情報とを記憶装置に操作者ごとに格納する格納ステップと、前記記憶装置に記憶された認証情報を用いて、前記画像送信装置を操作する操作者の認証を行う認証ステップと、前記認証ステップにて認証された操作者から画像データの送信を指示された場合において、前記記憶装置から前記操作者に対応する送信者情報を取得出来た場合は前記操作者によって指定された画像データに前記送信者情報を付加して外部へ送信し、前記記憶装置から前記操作者に対応する送信者情報を取得出来無かった場合は前記操作者によって指示された前記画像データの送信を禁止する送信制御ステップと、を有することを特徴とする。
請求項１０記載の画像送信方法は、操作者の認証情報と送信者情報とが格納された記憶媒体を装着可能であり、画像データを外部へ送信する画像送信装置における画像送信方法であって、装着された記憶媒体に格納された認証情報を用いて前記画像送信装置を操作する操作者の認証を行う認証ステップと、前記認証ステップにて操作者が認証された場合、前記装着された記憶媒体から前記操作者に対応する送信者情報を読み出して、該送信者情報によって前記操作者によって指定された画像データに対して前記送信者情報に基づいて生成される送信者特定情報を付加して外部へ送信する送信ステップと、を有することを特徴とする。
請求項１１記載の記憶媒体は、画像データを外部へ送信する画像送信装置における画像送信方法をプログラムとして記憶した、コンピュータ読み出し可能な記憶媒体であって、前記画像通信方法は、複数の操作者の認証情報と、当該操作者を特定する情報である送信者情報とを記憶装置に操作者ごとに格納する格納ステップと、前記記憶装置に記憶された認証情報を用いて、前記画像送信装置を操作する操作者の認証を行う認証ステップと、前記認証ステップにて認証された操作者から画像データの送信を指示されたとき、前記記憶装置から前記操作者に対応する送信者情報を取得出来た場合は、前記操作者によって指定された画像データに、前記送信者情報を付加して外部へ送信し、前記記憶装置から前記操作者に対応する送信者情報を取得出来無かった場合、前記操作者によって指示された前記画像データの送信を禁止する送信制御ステップと、を有することを特徴とする。
請求項１２記載の画像送信方法は、操作者の認証情報と送信者情報とが格納されたメモリカードを装着可能であり、画像データを外部へ送信する画像送信装置における画像送信方法をプログラムとして記憶した、コンピュータ読み出し可能な記憶媒体であって、前記画像送信方法は、装着されたメモリカードに格納された認証情報を用いて前記画像送信装置を操作する操作者の認証を行う認証ステップと、前記認証ステップにて前記操作者が認証された場合、前記装着されたメモリカードから前記操作者に対応する送信者情報を読み出して、該送信者情報によって前記操作者によって指定された画像データに対して前記送信者情報に基づいて生成される送信者特定情報を付加して外部へ送信する送信ステップと、を有することを特徴とする。
【手続補正６】
【補正対象書類名】明細書
【補正対象項目名】００５４
【補正方法】削除
【補正の内容】
【手続補正７】
【補正対象書類名】明細書
【補正対象項目名】００５５
【補正方法】削除
【補正の内容】
【手続補正８】
【補正対象書類名】明細書
【補正対象項目名】００５６
【補正方法】削除
【補正の内容】
【手続補正９】
【補正対象書類名】明細書
【補正対象項目名】００５７
【補正方法】削除
【補正の内容】
【手続補正１０】
【補正対象書類名】明細書
【補正対象項目名】００５８
【補正方法】削除
【補正の内容】
【手続補正１１】
【補正対象書類名】明細書
【補正対象項目名】００５９
【補正方法】削除
【補正の内容】
【手続補正１２】
【補正対象書類名】明細書
【補正対象項目名】００６０
【補正方法】削除
【補正の内容】
【手続補正１３】
【補正対象書類名】明細書
【補正対象項目名】００６１
【補正方法】削除
【補正の内容】
【手続補正１４】
【補正対象書類名】明細書
【補正対象項目名】００６２
【補正方法】削除
【補正の内容】
【手続補正１５】
【補正対象書類名】明細書
【補正対象項目名】００６３
【補正方法】削除
【補正の内容】
【手続補正１６】
【補正対象書類名】明細書
【補正対象項目名】００６４
【補正方法】削除
【補正の内容】
【手続補正１７】
【補正対象書類名】明細書
【補正対象項目名】００６５
【補正方法】削除
【補正の内容】
【手続補正１８】
【補正対象書類名】明細書
【補正対象項目名】００６６
【補正方法】削除
【補正の内容】
【手続補正１９】
【補正対象書類名】明細書
【補正対象項目名】００６７
【補正方法】削除
【補正の内容】
【手続補正２０】
【補正対象書類名】明細書
【補正対象項目名】００６８
【補正方法】削除
【補正の内容】
【手続補正２１】
【補正対象書類名】明細書
【補正対象項目名】００６９
【補正方法】削除
【補正の内容】
【手続補正２２】
【補正対象書類名】明細書
【補正対象項目名】００７０
【補正方法】削除
【補正の内容】
【手続補正２３】
【補正対象書類名】明細書
【補正対象項目名】００７１
【補正方法】削除
【補正の内容】
【手続補正２４】
【補正対象書類名】明細書
【補正対象項目名】００７２
【補正方法】削除
【補正の内容】
【手続補正２５】
【補正対象書類名】明細書
【補正対象項目名】００７３
【補正方法】削除
【補正の内容】
【手続補正２６】
【補正対象書類名】明細書
【補正対象項目名】００７４
【補正方法】削除
【補正の内容】
【手続補正２７】
【補正対象書類名】明細書
【補正対象項目名】００７５
【補正方法】削除
【補正の内容】
【手続補正２８】
【補正対象書類名】明細書
【補正対象項目名】００７６
【補正方法】削除
【補正の内容】
【手続補正２９】
【補正対象書類名】明細書
【補正対象項目名】００７７
【補正方法】削除
【補正の内容】